(57)【要約】【課題】定着ユニットに固有の情報を確実に取得することができるようにする。【解決手段】画像形成装置の装置本体に対して着脱自在に配設され、搬送される媒体上の現像剤像を定着させる定着ユニット１８に固有の情報が記録された記録部と、記録部に記録された情報を無線で取得する情報取得処理手段と、取得された情報に基づいて所定の定着制御処理を行う定着制御処理手段とを有する。この場合、記録部に記録された情報が無線で取得され、取得された情報に基づいて所定の定着制御処理が行われる。したがって、定着ユニット１８が高温になっても、熱の影響を受けることがなく、定着ユニット１８を駆動する際の振動の影響を受けることがないので、情報を確実に読み出すことができる。【選択図】図１
2006227335.tif 000002
【特許請求の範囲】
【請求項１】
画像形成装置の装置本体に対して着脱自在に配設され、搬送される媒体上の現像剤像を定着させる定着ユニットにおいて、                                                （ａ）該定着ユニットに固有の情報が記録された記録部と、
（ｂ）該記録部に記録された情報を無線で取得する情報取得処理手段と、
（ｃ）取得された情報に基づいて所定の定着制御処理を行う定着制御処理手段とを有することを特徴とする定着ユニット。
【請求項２】
前記情報は定着ユニットの搬送速度である請求項１に記載の定着ユニット。
【請求項３】
前記情報は定着温度である請求項１に記載の定着ユニット。
【請求項４】
前記情報は加熱部材の定格電圧である請求項１に記載の定着ユニット。
【請求項５】
前記情報は定着ユニットの仕様である請求項１に記載の定着ユニット。
【請求項６】
前記記録部は筐体の底面に配設される請求項１に記載の定着ユニット。
【請求項７】
請求項１〜６のいずれか１項に記載された定着ユニットを備える画像形成装置。
【発明の詳細な説明】
【技術分野】
【０００１】
本発明は、定着ユニット及び画像形成装置に関するものである。
【背景技術】
【０００２】
従来、プリンタ、複写機、ファクシミリ装置等の画像形成装置、例えば、プリンタにおいては、トナー像が転写された用紙を定着ユニットに送り、該定着ユニットにおいて、トナー像を加熱及び加圧することによって、用紙にトナー像を定着させ、画像を形成するようになっている。
【０００３】
ところで、プリンタの装置本体に対して着脱自在に配設された定着ユニットにおいては、固有の情報が記録されたメモリが配設され、該メモリは、定着ユニットが装置本体に装着されたときに、装着本体に配設された動作制御用の本体制御部に接続される。なお、前記メモリとしては、ＦＥＰＲＯＭを使用したり、電池等によるバックアップが可能な不揮発性メモリを使用したりすることができ、前記メモリにおいて情報の読出し及び書込みが行われる。
【０００４】
また、装置本体と定着ユニットとを電気的に接続するために、装置本体及び定着ユニットに、定着ユニットの着脱に伴って接離する接続端子がそれぞれ配設される（例えば、特許文献１参照。）。
【特許文献１】特開平５−１４２８８０号公報
【発明の開示】
【発明が解決しようとする課題】
【０００５】
しかしながら、前記従来のプリンタにおいては、トナー像が転写された用紙を加熱及び加圧して画像を形成するようになっているので、定着ユニットが高温になり、熱の影響を受けて前記接続端子が劣化してしまうことがある。また、前記定着ユニットを駆動する際の振動の影響を受け、接続端子において接触不良が発生してしまうこともある。
【０００６】
その結果、本体制御部は、定着ユニットに固有の情報を確実に取得することができなくなってしまう。
【０００７】
本発明は、前記従来のプリンタの問題点を解決して、定着ユニットに固有の情報を確実に取得することができる定着ユニット及び画像形成装置を提供することを目的とする。
【課題を解決するための手段】
【０００８】
そのために、本発明の定着ユニットにおいては、画像形成装置の装置本体に対して着脱自在に配設され、搬送される媒体上の現像剤像を定着させるようになっている。
【０００９】
そして、前記定着ユニットに固有の情報が記録された記録部と、該記録部に記録された情報を無線で取得する情報取得処理手段と、取得された情報に基づいて所定の定着制御処理を行う定着制御処理手段とを有する。
【発明の効果】
【００１０】
本発明によれば、定着ユニットにおいては、画像形成装置の装置本体に対して着脱自在に配設され、搬送される媒体上の現像剤像を定着させるようになっている。
【００１１】
そして、前記定着ユニットに固有の情報が記録された記録部と、該記録部に記録された情報を無線で取得する情報取得処理手段と、取得された情報に基づいて所定の定着制御処理を行う定着制御処理手段とを有する。
【００１２】
この場合、記録部に記録された情報が無線で取得され、取得された情報に基づいて所定の定着制御処理が行われる。したがって、定着ユニットが高温になっても、熱の影響を受けることがなく、定着ユニットを駆動する際の振動の影響を受けることがないので、情報を確実に読み出すことができる。
【発明を実施するための最良の形態】
【００１３】
以下、本発明の実施の形態について図面を参照しながら詳細に説明する。なお、この場合、画像形成装置としてカラーのプリンタについて説明する。
【００１４】
図２は本発明の第１の実施の形態におけるプリンタの概略図である。
【００１５】
図において、１１は装置本体であり、該装置本体１１内には、媒体としての用紙１６を搬送するための搬送路に配設され、各色の画像を形成する画像形成ユニット１２Ｂｋ、１２Ｙ、１２Ｍ、１２Ｃが配設される。該画像形成ユニット１２Ｂｋ、１２Ｙ、１２Ｍ、１２Ｃの下部には、用紙１６を搬送するとともに、現像剤像としてのトナー像を用紙１６に転写するための転写ユニット１７が配設され、各画像形成ユニット１２Ｂｋ、１２Ｙ、１２Ｍ、１２Ｃと転写ユニット１７との間に前記搬送路が形成される。前記転写ユニット１７の下流には転写されたカラーのトナー像を用紙１６に定着するための定着ユニット１８が配設される。
【００１６】
また、前記装置本体１１の下部には用紙１６をセットするための第１の媒体積載部としてのトレイ１９が、前記装置本体１１の右側面には比較的少量の用紙１６を給紙するための第２の媒体積載部としての手差しトレイ２０が、前記装置本体１１の左側面にはカラーの画像が形成された後の用紙１６を、画像形成面が上向きになるように蓄積するためのスタッカ２１が配設される。
【００１７】
そして、用紙１６をトレイ１９から給紙する場合、ホスト側から印刷起動が送られると、トレイ１９の近傍に配設された給紙ローラ２２によってトレイ１９に積載されている用紙１６が繰り出されて給紙される。続いて、該用紙１６は、搬送ローラ２３ａ、２３ｂ及びレジストローラ２４ａ、２４ｂによって転写ユニット１７に送られ、該転写ユニット１７の搬送部材としての、エンドレスのベルトから成る転写ベルト２６に吸着され、転写ベルト２６の走行に伴って搬送される。
【００１８】
一方、前記画像形成ユニット１２Ｂｋ、１２Ｙ、１２Ｍ、１２Ｃにそれぞれ配設された像担持体としての感光体ドラム２７Ｂｋ、２７Ｙ、２７Ｍ、２７Ｃは、前記転写ベルト２６に接触している。これにより、前記用紙１６は、その表面が前記感光体ドラム２７Ｂｋ、２７Ｙ、２７Ｍ、２７Ｃと接触しながら搬送されるので、感光体ドラム２７Ｂｋ、２７Ｙ、２７Ｍ、２７Ｃ上に形成された各色のトナー像が、転写ユニット１７の転写部材としての転写ローラ３１Ｂｋ、３１Ｙ、３１Ｍ、３１Ｃによって用紙１６に転写される。
【００１９】
そして、各色のトナー像を重ねることによってカラーのトナー像が形成された用紙１６は、定着ユニット１８に送られ、該定着ユニット１８内に配設された定着ローラ３４及び加圧ローラ３５によって定着させられ、カラーの画像が形成される。
【００２０】
次に、カラーの画像が形成された用紙１６は、排出ローラ３６ａ、３６ｂ、３７ａ、３７ｂによって搬送された後、搬送路に配設された切換部材としての切換ガイド４１によって、スタッカ２１への排出と、装置本体１１の上部カバー４２への排出とが切り換えられ、スタッカ２１又は上部カバー４２に排出される。前記スタッカ２１に排出される場合、用紙１６はそのままスタッカ２１に送られ、上部カバー４２に排出される場合、用紙１６は、更に排出ローラ３８ａ、３８ｂ、３９ａ、３９ｂによって搬送され、上部カバー４２に送られる。
【００２１】
また、用紙１６を手差しトレイ２０から給紙する場合、ホスト側から印刷起動が送られると、手差しトレイ２０に積載された用紙１６は、給紙ローラ４０によって繰り出され、給紙される。そして、給紙された用紙１６は、搬送ローラ２５ａ、２５ｂによって転写ユニット１７に送られる。以降、前述された動作を行う。
【００２２】
次に、前記構成の定着ユニット１８について説明する。
【００２３】
図１は本発明の第１の実施の形態における定着ユニットの断面図である。
【００２４】
図に示されるように、定着ユニット１８は、前記定着ローラ３４、加圧ローラ３５、前記定着ローラ３４及び加圧ローラ３５をそれぞれ回転自在に支持する軸受５３、前記定着ローラ３４に回転を伝達する図示されないギヤ、前記定着ローラ３４及び加圧ローラ３５内に配設され、定着ローラ３４及び加圧ローラ３５を加熱する加熱部材としてのヒータ５４、前記定着ローラ３４及び加圧ローラ３５と当接させて配設され、定着ローラ３４及び加圧ローラ３５の温度を検出する温度検出部としてのサーミスタ５５等を備える。なお、前記定着ローラ３４及び加圧ローラ３５は、前記トナー像が転写された用紙１６を加熱及び加圧し、かつ、搬送する機能を有する。
【００２５】
また、前記定着ユニット１８の筐（きょう）体１８ａの底面に、非接触型の記録要素としてのＩＣチップ（ＲＦＩＤ）５６が取り付けられる。通常、前記定着ローラ３４の温度が加圧ローラ３５の温度より高く設定され、また、温められて温度が高くなった空気は上昇するので、前記ＩＣチップ５６は、高温にさらされないように、筐体１８ａの底面に配設される。また、前記ＩＣチップ５６は、耐熱性を有し、図示されない断熱部材によって覆われる。
【００２６】
図３は本発明の第１の実施の形態におけるプリンタの制御回路を示すブロック図、図４は本発明の第１の実施の形態における定着ユニットの要部を示す斜視図である。
【００２７】
図において、３４は定着ローラ、５６はＩＣチップ、６５は無線通信部、６６は本体制御部、６７は搬送速度制御処理手段としての定着ユニット駆動速度制御部、６８は定着用の駆動部としてのモータ、６９は該モータ６８の出力軸に取り付けられたギヤ、７０は前記定着ローラ３４に取り付けられたギヤである。前記ギヤ６９、７０は噛（し）合させられ、モータ６８を駆動することによって発生させられた回転はギヤ６９、７０を介して定着ローラ３４に伝達され、定着ローラ３４及び加圧ローラ３５が回転させられる。
【００２８】
前記ＩＣチップ５６は、記録部としての不揮発性メモリ６２、記録制御部としてのメモリコントローラ６３、送受信部６４等を備える。
【００２９】
ところで、通常、転写ユニット１７の搬送速度Ｖ１と、定着ユニット１８の搬送速度Ｖ２とを等しく設定することは困難である。
【００３０】
そして、定着ローラ３４の直径をＤとし、硬度をＨとし、熱膨張率をαとし、角速度をωとし、定着ローラ３４に加圧ローラ３５を圧接させるための圧力をＰとし、トナー像を用紙１６に定着させるときの温度をＴ１とし、プリンタが設置されている場所の室温をＴとしたとき、前記搬送速度Ｖ２は
Ｖ２＝〔｛Ｄ＋α・（Ｔ１−Ｔ）｝／２〕・ω＋（Ａ・Ｈ）＋（Ｂ・Ｐ）＋Ｃ
になる。なお、Ａは硬度Ｈが搬送速度Ｖ２に及ぼす影響を表す係数、Ｂは圧力Ｐが搬送速度Ｖ２に及ぼす影響を表す係数、Ｃは定着ローラ３４のその他の因子が搬送速度Ｖ２に及ぼす影響を表す値である。
【００３１】
前記因子としては、定着ローラ３４と加圧ローラ３５とが圧接させられた際、定着ローラ３４と加圧ローラ３５との間に形成されるニップ部のゴム層の伸び、トナー像を定着させる際に定着ローラ３４と用紙１６との間に生じる滑り量等がある。
【００３２】
このように、搬送速度Ｖ２は多数の変数によって表されるので、搬送速度Ｖ１と搬送速度Ｖ２とを等しく設定することは困難である。
【００３３】
そこで、前記搬送速度Ｖ２を定着ユニット１８の組立時等に測定器７１によってあらかじめ測定し、測定された値を搬送速度Ｖｆとし、該搬送速度Ｖｆを定着ユニット１８に固有の情報として前記不揮発性メモリ６２に記録するようにしている。
【００３４】
また、装置本体１１（図２）に状態検出部としての図示されない検出センサが配設され、該検出センサによって定着ユニット１８の装着状態が検出される。そして、定着ユニット１８の装着状態が非装着から装着に変わると、本体制御部６６の図示されない装着検出処理手段は、装着検出処理を行い、検出センサからの信号を受けて、定着ユニット１８が装置本体１１に装着されたことを認識し、本体制御部６６の図示されない情報取得処理手段は、情報取得処理を行い、前記不揮発性メモリ６２に記録され、ＩＣチップ５６から送られた情報を無線通信部６５によって無線で受信し、前記情報から搬送速度Ｖｆを抽出する。
【００３５】
続いて、前記本体制御部６６の図示されない補正量算出処理手段は、補正量算出処理を行い、搬送速度Ｖ２、Ｖｆの差ΔＶｆ
ΔＶｆ＝Ｖ２−Ｖｆ
を算出し、該差ΔＶｆと、装置本体１１にあらかじめ記録された画像品位を最良にする値ΔＶｇとを比較し、補正量ΔＶｒ
ΔＶｒ＝ΔＶｇ−ΔＶｆ
を算出する。そして、該補正量ΔＶｒに対応させて、前記定着ユニット速度制御部６７は、搬送速度制御処理を行い、前記差ΔＶｆが値ΔＶｇと等しくなるように、モータ６８の回転速度を制御する。なお、前記搬送速度制御処理手段によって定着制御処理手段が構成され、該定着制御処理手段は定着制御処理を行う。
【００３６】
このように、情報取得処理手段は、搬送速度Ｖｆを無線で取得することができるので、定着ユニット１８が高温になっても、熱の影響を受けることがなく、定着ユニット１８を駆動する際の振動の影響を受けることがないので、搬送速度Ｖｆを確実に取得することができる。
【００３７】
さらに、搬送速度Ｖｆに基づいて搬送速度Ｖ２を制御することができるので、メンテナンス、部品のコストダウン、サプライヤの変更等に伴う仕様変更等で定着ユニット１８を交換したときに、前記搬送速度Ｖ１に対応させて搬送速度Ｖ２を最適な値に制御することができる。
【００３８】
なお、本実施の形態において、定着ユニット１８の搬送速度Ｖ２について説明したが、非接触型のＩＣチップを転写ユニット１７に配設し、搬送速度Ｖ１を制御することもできる。
【００３９】
ところで、前記定着ユニット１８の定着特性は、定着ローラ３４の肉厚、表面処理、外径、加圧ローラ３５による圧力Ｐ、定着ローラ３４の表面の温度等の各要素のほか、該各要素と、画像形成速度、用紙１６のサイズ及び種類、トナーの種類等との関係によって決定されるので、各要素がバランスよく設定されないと、定着特性が低下してしまう。
【００４０】
また、ユーザによっては、プリンタを特殊な用途で仕様するために、通常使用される用紙１６の厚さ（８０〜１２０〔μｍ〕）より厚い用紙、表面処理が施された用紙、封筒等の異なる定着特性を必要とする用紙を使用する場合がある。そのため、前記特殊な用途に対応させて、例えば、定着ローラ３４の目標となる温度、すなわち、定着温度が個別に設定されたプリンタをそれぞれ製造する必要があり、プリンタのコストが高くなってしまう。
【００４１】
そこで、特殊な用途で使用される場合に適した定着特性を有する定着ユニット１８を各種製造し、用途に対応する定着ユニット１８を装置本体１１に装着することができるようにした本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００４２】
図５は本発明の第２の実施の形態におけるプリンタの制御回路を示すブロック図、図６はは本発明の第２の実施の形態における定着ローラの断面図である。なお、プリンタの構成は第１の実施の形態と同様であるので、図２を援用して説明を省略する。
【００４３】
図において、７２は定着温度制御処理手段としての定着ユニット温度制御部、８１はアルミニウム製の中空体から成る心金、８２は該心金８１の外側に被覆された弾性体である。また、記録要素としてのＩＣチップ５６の記録部としての不揮発性メモリ６２には、定着温度が定着ユニット１８に固有の情報として記録される。
【００４４】
この場合、表１に示されるように、ユーザＡ〜Ｄの用途に対応させて、弾性体８２の表面材料Ｍ１、Ｍ２、肉厚ｔ１、ｔ２及び硬度Ｈ１、Ｈ２、加圧ローラ３５による圧力Ｐ１、Ｐ２等の各要素が最適な値に設定され、各要素の組合せに対応させて定着温度Ｔ１〜Ｔ４が異なる値に設定される。
【００４５】
【表１】
2006227335.tif 000003
【００４６】
そして、定着ユニット１８の組立時に各定着温度Ｔ１〜Ｔ４が定着ユニット１８に固有の情報として前不揮発性メモリ６２に記録される。
【００４７】
定着ユニット１８の装着状態が非装着から装着に変わると、前記装着検出処理手段は、状態検出部としての検出センサからの信号を受けて、定着ユニット１８が装置本体１１に装着されたことを認識し、前記情報取得処理手段は、前記不揮発性メモリ６２に記録され、ＩＣチップ５６から送られた情報を無線通信部６５によって無線で受信し、前記情報から定着温度Ｔ１〜Ｔ４を抽出する。
【００４８】
続いて、前記定着ユニット温度制御部７２は、定着温度制御処理を行い、前記定着温度Ｔ１〜Ｔ４と、温度検出部としてのサーミスタ５５によって検出された温度とを比較し、比較結果に基づいて前記加熱部材としてのヒータ５４をオン・オフし、定着ローラ３４の温度を制御する。なお、前記定着温度制御処理手段によって定着制御処理手段が構成され、該定着制御処理手段は定着制御処理を行う。
【００４９】
このように、本実施の形態においては、用途ごとに定着ユニット１８を製造し、装置本体１１に装着するだけで、特殊な用途に対応させて定着ユニット１８を使用することができ、定着特性を満たすことができる。
【００５０】
次に、本発明の第３の実施の形態について説明する。なお、第１の実施形態と同じ構造を有するものについては、同じ符号を付与することによって説明を省略し、同じ構造を有することによる発明の効果については同実施の形態の効果を援用する。
【００５１】
図７は本発明の第３の実施の形態における操作パネルを示す図、図８は本発明の第３の実施の形態におけるプリンタの制御回路を示すブロック図、図９は本発明の第３の実施の形態におけるプリンタの動作を示すフローチャートである。
【００５２】
図において、７５は操作部としての操作パネル、７３はメッセージ、その他の情報等を表示する表示部としてのメッセージパネル、７４は、該メッセージパネル７３の表示内容を制御する通知処理手段としての操作パネル表示制御部である。
【００５３】
ところで、プリンタの電源を投入したとき、パワーセーブモードで運転しているとき等において、定着ローラ３４の温度は雰囲気温度と等しい。そこで、加熱部材としての前記ヒータ５４をオン・オフすることによって、定着ローラ３４の温度が、トナー像を用紙１６に定着させるのに必要な定着温度になるように立ち上げられる。
【００５４】
なお、定着ローラ３４の温度が定着温度になるまでの立上り時間、定着ローラ３４の温度が、定着時に発生する熱損失によって低下した後、再び定着温度になるまでの応答時間等が装置本体１１の電源電圧に依存することがないように、複数の種類のヒータの中から所定の印加電圧でオン・オフさせることができるヒータが選択される。
【００５５】
また、記録要素としてのＩＣチップ５６の記録部としての不揮発性メモリ６２には、ヒータ５４の適正な印加電圧を表す定格電圧、及び定着ユニット１８の仕様を表す仕向け先の条件が定着ユニット１８に固有の情報、かつ、電源電圧情報として記録される。そして、定着ユニット１８の装着状態が非装着から装着に変わると、前記装着検出処理手段は、検出センサからの信号を受けて、定着ユニット１８が装置本体１１に装着されたことを認識し、前記情報取得処理手段は、ＩＣチップ５６から送られた情報を無線通信部６５によって無線で受信し、前記情報から搬送速度Ｖｆ、定着温度Ｔ１〜Ｔ４、定格電圧及び仕向け先の条件を抽出する。
【００５６】
続いて、前記本体制御部６６の図示されない電圧比較処理手段は、電圧比較処理処理を行い、前記定格電圧と、ヒータ５４に印加される実際の印加電圧とが一致するかどうかを判断し、定格電圧と印加電圧とが一致しない場合、前記操作パネル表示制御部７４は、通知処理を行い、前記表示パネル７３に「定着ユニットのヒータの印加電圧が適合しません。適正な定着ユニットと取り替えて下さい。」等のメッセージ、すなわち、不適合メッセージを表示し、操作者に通知する。
【００５７】
また、定格電圧と印加電圧とが一致する場合、本体制御部６６の図示されない条件成立判定処理手段は、条件成立判定処理を行い、定着ユニット１８における所定の条件、本実施の形態においては、前記仕向け先の条件が成立するかどうかを判断し、仕向け先の条件が成立しない場合、前記操作パネル表示制御部７４は、前記表示パネル７３に「定着ユニットは仕向け先の条件に適合しません。適正な定着ユニットと取り替えて下さい。」等の不適合メッセージを表示し、操作者に通知する。
【００５８】
仕向け先の条件が成立する場合、続いて、前記初期設定処理手段は定着ユニット１８の初期設定を行う。
【００５９】
続いて、前記補正量算出処理手段は、搬送速度Ｖ２、Ｖｆの差ΔＶｆを算出し、該差ΔＶｆと値ΔＶｇとを比較し、補正量ΔＶｒを算出する。そして、該補正量ΔＶｒに対応させて、前記定着ユニット速度制御部６７（図３）は、前記差ΔＶｆが値ΔＶｇと等しくなるように、モータ６８の回転速度を制御する。
【００６０】
そして、前記定着ユニット温度制御部７２（図５）は、前記定着温度Ｔ１〜Ｔ４と、温度検出部としてのサーミスタ５５によって検出された定着ローラ３４の温度とを比較し、比較結果に基づいて前記ヒータ５４をオン・オフし、定着ローラ３４の温度を制御する。
【００６１】
このように、本実施の形態においては、ヒータ５４の定格電圧と印加電圧とが一致しない場合はプリンタが動作しないので、ヒータ５４に定格外の電圧が印加されてヒータ５４が破損したり、装置本体１１の電源を破損したりするのを防止することができる。例えば、２４０〔Ｖ〕用の装置本体１１に、１００〔Ｖ〕用の定着ユニット１８を装着した場合、ヒータ５４に電圧が印加されることがなく、ヒータ５４が破損することがない。
【００６２】
なお、前記通知処理手段、搬送速度制御処理手段及び定着温度制御処理手段によって定着制御処理手段が構成され、該定着制御処理手段は定着制御処理を行う。
【００６３】
次に、フローチャートについて説明する。
ステップＳ１  情報取得処理を行う。
ステップＳ２  定格電圧と印加電圧とが一致するかどうかを判断する。定格電圧と印加電圧とが一致する場合はステップＳ３に、一致しない場合ステップＳ４に進む。
ステップＳ３  仕向け先の条件が成立するかどうかを判断する。仕向け先の条件が成立する場合はステップＳ５に、成立しない場合はステップＳ４に進む。
ステップＳ４  不適合メッセージを表示する。
ステップＳ５  初期設定を行う。
ステップＳ６  補正量算出処理を行う。
ステップＳ７  搬送速度制御処理を行う。
ステップＳ８  定着温度制御処理を行い、処理を終了する。
【００６４】
なお、本発明は前記実施の形態に限定されるものではなく、本発明の趣旨に基づいて種々変形させることが可能であり、それらを本発明の範囲から排除するものではない。
【図面の簡単な説明】
【００６５】
【図１】本発明の第１の実施の形態における定着ユニットの断面図である。
【図２】本発明の第１の実施の形態におけるプリンタの概略図である。
【図３】本発明の第１の実施の形態におけるプリンタの制御回路を示すブロック図である。
【図４】本発明の第１の実施の形態における定着ユニットの要部を示す斜視図である。
【図５】本発明の第２の実施の形態におけるプリンタの制御回路を示すブロック図である。
【図６】本発明の第２の実施の形態における定着ローラの断面図である。
【図７】本発明の第３の実施の形態における操作パネルを示す図である。
【図８】本発明の第３の実施の形態におけるプリンタの制御回路を示すブロック図である。
【図９】本発明の第３の実施の形態におけるプリンタの動作を示すフローチャートである。
【符号の説明】
【００６６】
１１    装置本体
１６    用紙
１８    定着ユニット
１８ａ    筐体
６２    不揮発性メモリ
６６    本体制御部
６７    定着ユニット速度制御部
７２    定着ユニット温度制御部
【図１】
2006227335.tif 000004
【図２】
2006227335.tif 000005
【図３】
2006227335.tif 000006
【図４】
2006227335.tif 000007
【図５】
2006227335.tif 000008
【図６】
2006227335.tif 000009
【図７】
2006227335.tif 000010
【図８】
2006227335.tif 000011
【図９】
2006227335.tif 000012